(57)【要約】【課題】机等の上に置いた状態で使用する爪やすりであっても、簡単にかつ複数の爪を同時に削ることができるようにする。【解決手段】やすり目１１１が形成された凸曲面１１０を有する本体部１００と、この本体部１００を机等の平坦面に定位させるためのベース部２００とを備えており、前記本体部１００は、一方の端部が凸曲面１１０として半球体になった略円柱状に形成され、前記凸曲面１１０にやすり目１１１が形成される。本体部１００を覆うカバー部５００を設けることも可能である。【選択図】      図１
2018153541.tif 000002
【特許請求の範囲】
【請求項１】
やすり目が形成された凸曲面を有する本体部と、この本体部を平坦面に定位させるためのベース部とを具備することを特徴とする爪やすり。
【請求項２】
前記凸曲面は、半球体であることを特徴とする請求項１記載の爪やすり。
【請求項３】
前記ベース部は、本体部より径大であることを特徴とする請求項１又は２記載の爪やすり。
【請求項４】
前記ベース部には、本体部の根元を取り囲む溝部が形成されていることを特徴とする請求項３記載の爪やすり。
【請求項５】
前記本体部を覆うカバー部を有することを特徴とする請求項１、２、３又は４記載の爪やすり。
【請求項６】
前記カバー部には、オブジェが設けられていることを特徴とする請求項５記載の爪やすり。
【発明の詳細な説明】
【技術分野】
【０００１】
本発明は、机等の上に置いた状態で使用する爪やすりに関する。
【背景技術】
【０００２】
従来の爪やすりには、つめ切りの一部としてつめ切りに設けられたタイプと、つめ切りとは別の専用品とがある。
そのうち、専用品は棒体の先端部にやすり目が形成されたタイプと、机等の上に置いた状態で使用するタイプとがある。
後者のものとしては、例えば、特開２００４−１１３７４０号公報、特開２００４−２７５６５２号公報、意匠登録第１２７６３１２号公報、意匠登録第１５２１２３２号公報、意匠登録第１５６９６２４号公報に記載されたものがある。
【０００３】
【特許文献１】特開２００４−１１３７４０号公報
【特許文献２】特開２００４−２７５６５２号公報
【特許文献３】意匠登録第１２７６３１２号公報
【特許文献４】意匠登録第１５２１２３２号公報
【特許文献５】意匠登録第１５６９６２４号公報
【発明の開示】
【発明が解決しようとする課題】
【０００４】
しかしなから、上記の机等の上に置いた状態で使用する爪やすりは、以下のような問題点がある。
まず、やすり目が平坦な面に形成されているものでは、爪先のカーブを指の先端のカーブに沿って削って美しく仕上げるためには熟練を要する。なぜならば、爪先を削る際に爪先のカーブに沿って指を動かさなければならないためである。
また、机等の上に置いた状態で使用する爪やすりだけでなく、つめ切りに設けられたタイプでも、棒体の先端にやすり目を形成したタイプでも、複数の爪を同時に削ることはできない。
【０００５】
また、これらの爪やすりは机等の上で使用するものであるにも関わらず、やすり目が露出した状態にあるため、使用後にやすり目に残った爪の削り滓が見えてしまい、不衛生な印象を与えるという問題点がある。
【０００６】
本発明は、上記事情に鑑みて創案されたもので、机等の上に置いた状態で使用する爪やすりであっても、簡単にかつ複数の爪を同時に削ることができる爪やすりを提供することを目的としている。
また、使用後に不衛生な印象を与えることがない爪やすりや、オブジェとしても使用することができる爪やすりを提供することを目的としている。
【課題を解決するための手段】
【０００７】
本発明に係る爪やすりは、やすり目が形成された凸曲面を有する本体部と、この本体部を平坦面に定位させるためのベース部とを有している。
【０００８】
また、前記凸曲面は、半球体であることよい。
【０００９】
さらに、前記ベース部は、本体部より径大に設定されている。
前記ベース部には、本体部の根元を取り囲む溝部が形成されているとよい。
【００１０】
この爪やすりは、本体部を覆うカバー部を有している。
このカバー部には、オブジェが設けられているとよい。
【発明の効果】
【００１１】
本発明に係る爪やすりは、やすり目が凸曲面に形成されているため、爪先のカーブを指の先端のカーブに沿って美しく仕上げることが容易にできる。また、凸曲面が半球状であると指の先端のカーブに沿って爪先をより容易に動かすことができる。
【００１２】
また、この爪やすりは、ベース部が本体部より径大に設定されているので、使用時の安定性に優れている。
その上、この爪やすりは、ベース部に本体部の根元を取り囲む溝部が形成されているので、やすり目で削られた爪の削り滓は自然と溝部に落ち込む。このため、この爪やすりは、周辺に飛び散る爪の削り滓を最小限に抑えることができる。
【００１３】
さらに、本体部を覆うカバー部を有していると、本体部の凸曲面に設けられたやすり目を覆い隠すことができるので、万が一、やすり目に爪の削り滓が残っていたとしても、不衛生な印象を与えることがない。
【００１４】
また、カバー部の頭頂部に勝利の女神やカップ等のオブジェを設けると、全体としてトロフィーのように構成することもできる。カバー部にオブジェを設けてあたかもトロフィーのように構成した場合は、カバー部がなくやすり目が露出した状態や、カバー部にオブジェがない状態よりも、爪やすりとしてみられる可能性が低くなる。
また、このようにトロフィーのように構成した爪やすりは、ゴルフのコンペや宴会におけるビンゴゲーム等における賞品としての価値も高いものとなる。
【図面の簡単な説明】
【００１５】
【図１】本発明の実施の形態に係る爪やすりの概略的斜視図である。
【図２】本発明の実施の形態に係る爪やすりの概略的正面図である。
【図３】本発明の実施の形態に係る爪やすりの概略的正面断面図である。
【図４】本発明の実施の形態に係る爪やすりを構成するベース部の概略的底面図である。
【図５】本発明の実施の形態に係る爪やすりの使用方法を示す概略的斜視図で
【図６】本発明の実施の形態に係る爪やすりにカバー部を被せた状態での概略的一部断面正面図である。
【図７】本発明の実施の形態に係る爪やすりのカバー部にオブジェを取り付けた状態を示す概略的正面図である。
【発明を実施するための形態】
【００１６】
本発明の実施の形態に係る爪やすり１０００は、やすり目１１１が形成された凸曲面１１０を有する本体部１００と、この本体部１００を机等の平坦面に定位させるためのベース部２００とを備えている。
【００１７】
前記本体部１００は、一方の端部が凸曲面１１０として半球体になった略円柱状に形成されている。この凸曲面１１０にやすり目１１１が形成されるのである。この本体部１００は、金属、例えばステンレス鋼や真鍮で構成されている。このため、本体部１００のやすり目１１１が形成されていない周側面１２０は、金属のメタリックな質感を維持している。
かかる本体部１００は、直径５５ｍｍ、高さ６０ｍｍの円柱の一端を半径２７．５ｍｍの半球として形成したものである。
なお、本明細書における各構成部品の各部の寸法は、本願発明を特定するものではなく、あくまで一例として記載されるものであることはいうまでもない。
【００１８】
この本体部１００の他面、すなわちやすり目１１１が形成された凸曲面１１０が形成された側とは反対の端面１３０の中心には、図３に示すように、雌ねじ１３１が形成されている。この雌ねじ１３１は、後述するベース部２００を本体部１００に連結するために用いられるものである。
【００１９】
一方、ベース部２００は、直径８０ｍｍ、厚さ５ミリの円板である。すなわち、このベース部２００は、前記本体部１００より径大に形成されていることになる。
このベース部２００の中心には、前記雌ねじ１３１に対応する雄ねじ３００が貫通する貫通孔２１０が開設されている。
【００２０】
また、このベース部２００の表面側には、貫通孔２１０を中心として、ベース部２００に取り付けられた本体部１００の根元を取り囲むようにした溝部２２０が形成されている。この溝部２２０は幅２ｍｍ、深さ２ｍｍに設定されている。
かかる溝部２２０は、やすり目１１１で削られた爪の削り滓を溜める部分である。やすり目で爪先を削ったことで生じた削り滓は、本体部１００の周側面１２０に沿って落下し、この溝部２２０に自然と落ち込む。従って、爪やすり１０００の周辺に飛び散る爪の削り滓は最小限に抑えることができる。
【００２１】
さらに、前記ベース部２００の裏面側には、シリコンゴムや天然ゴム等からなる滑り止め部材４００が前記貫通孔２１０を避けて貼着されている。
前記本体部１００とベース部２００とは、前記雄ねじ３００によって連結されて一体となる。
【００２２】
なお、上述の説明では本体部１００とベース部２００とはそれぞれ別体であり、雄ねじ３００によって連結されて一体となるとしたが、一つの金属塊から削り出しによって最初から一体として形成することも可能であることはいうまでもない。
【００２３】
このように構成された爪やすり１０００は、図５に示すように、五本の指の爪をやすり目１１１に当てた状態で開閉したり、手を前後左右に動かしたりすることで爪を削ることができる。それも同時に５本の指の爪を削ることができる。
また、爪やすり１０００自体は机等の上に置いたままの状態で使用するので、片手だけで爪を削ることができる。
さらに、この爪やすりは爪先をやすり目に当てた状態で指先の形状に沿って指を動かすだけでよいので、目が不自由な身体障害者にも簡単に使用することができるというメリットがある。
【００２４】
このように構成された爪やすり１０００は、一見して爪やすりという日常品には見えない金属の塊としての存在感を持っている。このため、この爪やすり流は、オフィスや応接室または会議室等のいわばオフィシャルな場で使用される机等の上に置いてもオブジェ的な印象を与える。
【００２５】
上述した説明における爪やすり１０００は、本体部１００に形成されたやすり目１１１が不使用時でも露出している。
このため、この爪やすり１０００はオブジェ的な印象を与えるとはいっても、やすり目１１１が露出しているので、特に爪の削り滓等がやすり目１１１等に残っている場合には、不衛生な印象を与えることがある。このため、爪やすり１０００自体を人目につかないようにしたいと要望もあると思われる。
【００２６】
かかる場合には、前記本体部１００を覆うカバー部５００を設けることでやすり目１１１を人目につかないようにすることができて、前記要望にも応じることができる。
かかる爪やすり１０００のカバー部５００は、有底円筒形状であり、本体部１００が嵌まり込むことができるサイズを有している。すなわち、このカバー部５００は、内径が本体部１００の外径より僅かに大きく、外径がベース部２００の直径より小さい筒体である。しかもその深さは本体部１００の高さ寸法より大きく設定されている。
なお、このカバー部５００の形状は有底円筒形状に限定されず、有底角筒状であってもよいし、閉塞端側は平坦面ではなくドーム状の凸曲面であってもよいことはもちろんである。
【００２７】
しかも、このカバー部５００は本体部１００に被せると、カバー部５００の端部５２０がベース部２００の溝部２２０を蓋するようになっている。すると、溝部２２０に爪の削り滓が残っていたとしても、溝部２２０はカバー部５００によって蓋された状態になるため、削り滓が飛散することはない。
また、このカバー部５００は、本体部１００等と同様の素材、すなわちステンレス鋼や真鍮の金属で形成する。すると、カバー部５００で本体部１００をカバーした際、全体での統一感、一体感を演出することができる。
【００２８】
また、図７に示すように、カバー部５００の頭頂部５１０にオブジェ６００を設けたものもある。このオブジェ６００としては、図７に示す勝利の女神の他に、カップや楯等であってもよいことはいうまでもない。このように、カバー部５００の頭頂部５１０にオブジェ６００を設けると、全体としてトロフィーのように構成することもできる。
カバー部５００にオブジェ６００を設けてあたかもトロフィーのように構成した場合は、カバー部５００がなくやすり目１１１が露出した状態や、カバー部５００にオブジェ６００がない状態よりも、爪やすりとしてみられる可能性が低くなる。
また、このようにトロフィーのように構成した爪やすり１０００は、ゴルフのコンペや宴会におけるビンゴゲーム等における賞品としての価値も高いものとなる。
【符号の説明】
【００２９】
１００    本体部
１１０    凸曲面
１１１    やすり目
２００    ベース部
２２０    溝部
５００    カバー部
６００    オブジェ
【図１】
2018153541.tif 000003
【図２】
2018153541.tif 000004
【図３】
2018153541.tif 000005
【図４】
2018153541.tif 000006
【図５】
2018153541.tif 000007
【図６】
2018153541.tif 000008
【図７】
2018153541.tif 000009
【手続補正書】
【提出日】平成30年3月30日(2018.3.30)
【手続補正１】
【補正対象書類名】特許請求の範囲
【補正対象項目名】全文
【補正方法】変更
【補正の内容】
【特許請求の範囲】
【請求項１】
五本の指の爪を同時に削ることができる爪やすりであって、やすり目が形成された半球体である凸曲面を先端部に有する平面視円形の本体部と、この本体部を平坦面に定位させるためのベース部とを具備しており、前記本体部は直径寸法より高さ寸法の方が大きく設定されており、前記ベース部は本体部より径大に設定されており、かつ本体部の根元には本体部を取り囲む溝部が形成されていることを特徴とする爪やすり。
【請求項２】
前記本体部を覆うカバー部を有しており、このカバー部は本体部を覆うと、ベース部の溝部を蓋することを特徴とする請求項１記載の爪やすり。
【請求項３】
前記カバー部には、オブジェが設けられていることを特徴とする請求項２記載の爪やすり。
【手続補正２】
【補正対象書類名】明細書
【補正対象項目名】０００７
【補正方法】変更
【補正の内容】
【０００７】
本発明に係る爪やすりは、五本の指の爪を同時に削ることができる爪やすりであって、やすり目が形成された半球体である凸曲面を先端部に有する平面視円形の本体部と、この本体部を平坦面に定位させるためのベース部とを有しており、前記本体部は直径寸法より高さ寸法の方が大きく設定されており、前記ベース部は本体部より径大に設定されており、かつ本体部の根元には本体部を取り囲む溝部が形成されている。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】変更
【補正の内容】
【００１０】
この爪やすりは、本体部を覆うカバー部を有しており、このカバー部は本体部を覆うと、ベース部の溝部を蓋するようになっている。
このカバー部には，オブジェが設けられているとよい。
【手続補正６】
【補正対象書類名】明細書
【補正対象項目名】００１３
【補正方法】変更
【補正の内容】
【００１３】
さらに、本体部を覆うカバー部を有していると、本体部の凸曲面に設けられたやすり目を覆い隠すことができるので、万が一、やすり目に爪の削り滓が残っていたとしても、不衛生な印象を与えることがない。
また、本体部をカバー部で覆うと、ベース部の溝部を蓋することになるので、溝部に爪の削り滓が残っていたとしても不衛生な印象を与えることがなく、削り滓の飛散を防止する。
【手続補正７】
【補正対象書類名】明細書
【補正対象項目名】００１７
【補正方法】変更
【補正の内容】
【００１７】
前記本体部１００は、一方の端部が凸曲面１１０として半球体になった略円形状に形成されている。この凸曲面１１０にやすり目１１１が形成されるのである。この本体部１００は、金属、例えばステンレス鋼や真鍮で構成されている。このため、本体部１００のやすり目１１１が形成されていない周側面１２０は、金属のメタリックな質感を維持している。
かかる本体部１００は、直径５５ｍｍ、高さ６０ｍｍの円柱の一端を半径２７．５ｍｍの半球として形成したものであり、直径寸法より高さ寸法の方が大きく設定されている。
なお、明細書中における各構成部品の各部の寸法は、本願発明を特定するものではなく、あくまで一例として記載されるものであることはいうまでもない。
【手続補正８】
【補正対象書類名】明細書
【補正対象項目名】００２４
【補正方法】変更
【補正の内容】
【００２４】
このように構成された爪やすり１０００は、一見して爪やすりという日常品には見えない金属の塊としての存在感を持っている。このため、この爪やすり１０００は、オフィスや応接室または会議室等のいわばオフィシャルな場で使用される机等の上に置いてもオブジェ的な印象を与える。